(57)【特許請求の範囲】
【請求項１】
容器本体にポンプを取着し、該ポンプのステム上端に小分け吐出器を着脱自在に装着した吐出容器であって、
小分け吐出器は、液溜め部材とスリットバルブを保持したバルブ保持部材とからなり、
スリットバルブを所要個所に押付けることによって、少量の内容物を吐出するようにしたことを特徴とする小量吐出容器。
【請求項２】
小分け吐出器の液溜め部材は、ステムに嵌挿される内筒と、底壁と、ポンプの取付キャップの上部内周面に嵌挿される外筒とを具備し、
スリットバルブは、柔軟材で形成され、上面にスリットを刻設していることを特徴とする請求項１記載の少量吐出容器。
【請求項３】
液溜め部材の内筒は、その隔壁上面に弁部材が配設され、取付キャップは、その上部周面に液溜め部材を最上位置に係止させるストッパが係脱自在として配設されていることを特徴とする請求項２記載の少量吐出容器。
【請求項４】
液溜め部材の外筒に、多数の突条を形成し、取付キャップの内周に、上端を段部とした突出面を形成し、該突出面に前記凸条と係合する凹溝を形成し、小分け吐出器を上下動可能とするとともに、小分け吐出器を最上位置で廻動させたときに、凸条の下端を取付キャップの段部に係止させるようにしたことを特徴とする請求項２記載の少量吐出容器。
【発明の詳細な説明】
【０００１】
【発明の属する技術分野】
本発明は、内容液の少量吐出容器に関する。
【０００２】
【発明が解決しようとする課題】
容器口部にディスペンサーポンプを装着し、一定量の内容液を吐出するようにしたポンプ付吐出容器は、従来より周知である。
【０００３】
しかし、従来の吐出容器は、ポンプの押下げ操作により一定量の内容液を吐出し、必要以上の内容液が吐出されてもそのまま使用し、余分となった内容液を無駄に使用していた。
少ない量の内容液を必要とするときは、ポンプ押下げ量を手操作により調整したり、カップその他の別容器に吐出した後、少量づつ取り出して使用しなければならなかった。
【０００４】
本発明は、上記の問題を考慮して、ポンプから吐出された一定の内容液を少量づつ吐出、使用できるようにした小分け吐出器を着脱自在に取着した注出容器を提供することを目的とする。
【０００５】
【課題を解決するための手段】
本発明は、上記の課題を解決するため、吐出容器として、容器本体にポンプを取着し、該ポンプのステム上端に小分け吐出器を着脱自在に装着した吐出容器であって、小分け吐出器は、液溜め部材とスリットバルブを保持したバルブ保持部材とからなり、スリットバルブを所要個所に押付けることによって、少量の内容物を吐出するようにしたことを特徴とする構成を採用する。
【０００６】
具体的な実施態様として、小分け吐出器の液溜め部材は、ステムに嵌挿される内筒と、底壁と、ポンプの取付キャップの上部内周面に嵌挿される外筒とを具備し、スリットバルブは、柔軟材で形成され、上面にスリットを刻設していることを特徴とする構成を採用する。
【０００７】
また、小分け吐出器を位置決めして使用するために、液溜め部材の内筒は、その隔壁上面に弁部材が配設され、取付キャップは、その上部周面に液溜め部材を最上位置に係止させるストッパが係脱自在として配設されていることを特徴とする構成、或いは液溜め部材の外筒に、多数の突条を形成し、取付キャップの内周に、上端を段部とした突出面を形成し、該突出面に前記凸条と係合する凹溝を形成し、小分け吐出器を上下動可能とするとともに、小分け吐出器を最上位置で廻動させたときに、凸条の下端を取付キャップの段部に係止させるようにしたことを特徴とする構成を採用する。
【０００８】
【発明の実施の形態】
次に、本発明の実施形態について、図面を参照して説明する。
図１において、Ａは容器本体、Ｂは容器本体Ａに取着されたポンプ、ＣはポンプＢの取付キャップ、ＤはポンプＢのステムに着脱自在に取着された少量吐出用の小分け吐出器、Ｅはオーバキャップである。
【０００９】
図１，２に示すように、容器本体Ａは、口部１と肩部２、胴部３、底部４を具え、合成樹脂を用いて成形されており、内容液として育毛剤、医薬品、化粧料等が収容される。
口部１の外周面には、ねじ５が螺設され、その下方にネックリング６が突設されている。
肩部２の周縁には、係止環７が設けられており、その下方には凹溝が形成され胴部３上端に続いている。
【００１０】
ポンプＢは、周知のポンプと同様に、ばねによって上方に付勢されたピストン部材を内蔵したシリンダ８と、ピストン部材に取着されたステム９を具えており、シリンダ８の下端には内部に吸込み弁を装着し、下端に吸込みパイプ１０を取着した支持筒１１が連設されている。
シリンダ８の上端部には、取付用のフランジ１２が突設されており、上端部内周には、ステム９の軸受案内筒１３が取着されている。
【００１１】
取付キッャプＣは、側周壁１４と、中間部に内方に突設した環状板１５とを具えており、側周壁１４の内周面は、環状板１５によって上下に区分される上部周面１４ａと下部周面１４ｂとなっている。
上部周面１４ａの上端近くには透孔が穿設され、係止杆１６ａと摘み１６ｂとからなるストッパ１７が挿入されている。
【００１２】
下部周面１４ｂには、口部１外周のねじ５に螺合するねじ１８が刻設されている。
ポンプＢは、フランジ１２をパッキン１９を介して口部１上端に載置し、取付キッャプＣを締め付けることによって、容器本体Ａに取着されている。
【００１３】
図３，４に示すように、小分け吐出器Ｄは、液溜め部材２０とバルブ保持部材２１、スリットバルブ２２とバルブ押え２３とからなっている。
液溜め部材２０は、ステム９の上端部に嵌着される内筒２４と、取付キャップＣの側周壁１４の上部周面１４ａ内に嵌挿される外筒２５と、底壁２６とを具えており、内筒２４の上端近くには、吐出孔２７を穿孔した隔壁２８が連設されている。
【００１４】
隔壁２８の上面には、吐出孔２７を塞ぐように上下動し得る弁２９を有する弁部材が取着されており、該弁２９は、ポンプＢ押下げ時には開放されて内容液が吐出され、ポンプ上昇時には閉じられる。
また小分け吐出器Ｄを取り外したときには、弁２９は、液溜め部材２０の内筒２４内の内容液が漏れ出すことを防いでいる。
【００１５】
バルブ保持部材２１は、図３，４に示すように、上壁３０と側周壁３１とを具えており、上壁３０の上面には、バルブ支持筒３２が立設されている。
該バルブ支持筒３２は、上壁３０の内端縁から立ち上がる内筒３３とバルブ嵌挿溝３４を置いて外側に位置する外筒３５とからなっており、外筒３５の上端周縁には膨出突条３６が突設されている。
【００１６】
内筒３３の下側には、複数の流通孔３７を設けた円錐筒３８が垂設されており、下端には、遮蔽板３９が連設されている。
側周壁３１の所定の位置には、把手４０が突設されている。
バルブ保持部材２１の側周壁３１は、液溜め部材２０の外筒２５内周面に嵌着され、液溜め部材２０とバルブ保持部材２１によって計量室４１が形成されている。
【００１７】
スリットバルブ２２は、エラストマー、その他軟材質の材料によって形成され、頂壁４２とフランジ４３を突設した側周壁４４とを具えている。
頂壁４２は、その中央が凹んだ球面となっており、中心部に十字形のスリット４５が刻設されている。
スリットバルブ２２の側周壁４４は、バルブ嵌挿溝３４内に嵌挿され、バルブ支持筒３２に保持される。
【００１８】
バルブ押え２３は、環状の押え板４６と側周壁４７とからなり、側周壁４７の下端には、外筒３５の膨出突条３６の下側に係合する係止突条４８が形成され、スリットバルブ２２のフランジ４３を外筒３５上面に押圧するようにしている。
【００１９】
小分け吐出器Ｄの組立は、スリットバルブ２２をその側周壁４４をバルブ支持筒３２のバルブ嵌挿溝３４に差し込み、バルブ押え２３をバルブ支持筒の３２外筒３５に嵌合させることによってスリットバルブ２２を締着し、次いで、バルブ保持部材２１を液溜め部材２０に嵌着することによって、小分け吐出器Ｄが組立られる。
そして、小分け吐出器Ｄをステム９に取着することによって本発明の吐出容器が完成する。
【００２０】
オーバーキャップＥは、図１に示すように頂壁５０と側周壁５１とからなり、側周壁５１下端内周には、閉蓋時に肩部２の係止環７に係合する膨出環５２が設けられている。
【００２１】
次に、吐出容器の使用態様と作用効果について図面を参照して説明する。
内容液の吐出にあたって、図５に示すように、ストッパ１７を引き出した状態で把手４０を持って小分け吐出器Ｄを押下げると、ステム９を通じてピストン部材が降下し、シリンダ８内の内容液が計量室４１に吐出され、溜め込まれる。
把手４０から手を離すと、ピストン部材がばねの付勢によって上昇し、最上ストローク位置にきたときに、ストッパ１７を押し込むと、係止杆１６ａが液溜め部材２０の底壁２６に係止し、小分け吐出器Ｄはその最上のストローク位置を保つ。
【００２２】
次に、吐出容器を持って小分け吐出器Ｄを所要個所に向けスリットバルブ２２を押しつけると、スリットバルブ２２が変形してスリット４５が開かれ、少量の内容液が押出される。
その際、ピストン部材は、ストッパ１７で係止されているので妄動しない。
【００２３】
次に、計量室４１内の内容液を使い切ったときには、ストッパ１７を引き出し、小分け吐出器Ｄを押下げると、再び内容液を計量室４１に吐出させることができ、小分け吐出器Ｄにより繰り返し小分け吐出することができる。
【００２４】
小分け吐出器Ｄを取り外して使用する場合について説明する。
まずはじめに、小分け吐出器Ｄを取着した状態で押下げて内容液を計量室４１内に吐出し溜めおく。
次に、小分け吐出器Ｄをステム９から取り外して所要の場所に持ち運び、スリットバルブ２２を押しつけると、スリット４５が開いて少量の内容液を吐出することができる。
【００２５】
次に、ストッパに関連する変形実施例について説明する。
前記実施形態では、ピストン部材の妨動阻止のために、取付キャップＣの上端近くにストッパ１７を配設しているが、液溜め部材２０を最上位置に係止させる手段として、取付キャップＣの上部周面１４ａと液溜め部材２０の外筒２５の外周の構成を変更した実施例について、相違点を中心に説明する。
【００２６】
図６に示すように、液溜め部材２０の外筒２５の外周面には、上下方向に延びる多数の凸条６０が等間隔に突設されている。
取付キャップＣの上部周面１４ａには、小分け吐出器Ｄが最上のストローク位置に上昇したときに、前記突条６０下端に係止可能な段部６１を位置させた突出面６２を形成させ、該突出面６２に、前記凸条６０に係合する凹溝６３を刻設し、小分け吐出器Ｄが上下に摺動可能とする。
【００２７】
使用にあたって、小分け吐出器Ｄを押下げることによって一定量の内容液を計量室４１に吐出させる。
次いで、小分け吐出器Ｄが最上のストローク位置に上昇したときには、突条６０下端が凹溝６３より少し上昇するので、その際、小分け吐出器Ｄを廻動させると、凸条６０下端を段部６１に係止させることができ、ピストン部材の妨動を阻止することができる。
【００２８】
【発明の効果】
本発明は、上記のように構成されているから、次の効果を奏する。
吐出容器のポンプに小分け吐出器を着脱自在に装着したので、少量の内容液を吐出することができ、また小分け吐出器を取り外して使用するときには軽量であるので、取扱いがさらに簡便となる。
【図面の簡単な説明】
【図１】本発明吐出容器の正面図である。
【図２】ポンプを取着した容器本体の説明図で、（ａ）は上面図、（ｂ）は一部断面正面図である。
【図３】小分け吐出器の説明図で、（ａ）は上面図、（ｂ）は一部断面正面図である。
【図４】小分け吐出器の構成部材の分解図である。
【図５】  内容液吐出時の説明図である。
【図６】別実施例の説明図で、（ａ）は一部断面正面図、（ｂ）は図（ａ）のＡ−Ａ線における断面図である。
【符号の説明】
Ａ        容器本体
Ｂ        ポンプ
Ｃ        取付キャップ
Ｄ        小分け吐出器
Ｅ        オーバキャップ
８        シリンダ
９        ステム
１２      フランジ
１４      側周壁
１４ａ    上部周面
１４ｂ    下部周面
１５      環状板
１７      ストッパ
２０      液溜め部材
２１      バルブ保持部材
２２      スリットバルブ
２３      スリット押え
２４      内筒
２５      外筒
２６      底壁
２７      吐出孔
２８      隔壁
２９      弁
３０      上壁
３１      側周壁
３２      バルブ支持筒
４０      把手
４１      計量室
４２      頂壁
４３      フランジ
４４      側周壁
４５      スリット
４６      押え板
６０      凸条
６１      段部
６２      突出面
６３      凹溝
【図１】
0003681614.tif 000002
【図２】
0003681614.tif 000003
【図３】
0003681614.tif 000004
【図４】
0003681614.tif 000005
【図５】
0003681614.tif 000006
【図６】
0003681614.tif 000007